(57)【要約】【課題】袋と共に携行することができる手提げホルダーを提供する。【解決手段】手提げホルダー１０は、利用者が把持する把持部１１と、この把持部１１の両端から下方に向けて突出して袋２の手提げ部が引っ掛けられる支持部２１とを有し、把持部１１は、袋２が収容された収容部１３が形成されている。収容部１３は、把持部１１において支持面部１２の反対側である上面側からくり抜かれた収容空間１４と、この収容空間１４の開口部１５を覆う蓋部１６とを有している。【選択図】図１
0003225724.tif 000002
【実用新案登録請求の範囲】
【請求項１】
利用者が把持する把持部と、
前記把持部の両端に形成されて袋の手提げ部が引っ掛けられる支持部と、を有し、
前記把持部に、袋が収容される収容部が形成された、
ことを特徴とする手提げホルダー。
【請求項２】
前記収容部が、
前記把持部に形成された収容空間と、この収容空間の開口部を覆う蓋部と、を有する、
ことを特徴とする請求項１に記載された手提げホルダー。
【請求項３】
前記支持部が、前記把持部から突出しており、この支持部同士が対面する側に、被着脱部材を挟持するための窪み部が形成された、
ことを特徴とする請求項１また請求項２に記載された手提げホルダー。
【請求項４】
前記把持部に、ストラップが通される貫通孔が形成された、
ことを特徴とする請求項１から請求項３のいずれか１項に記載された手提げホルダー。
【請求項５】
前記把持部が、長手の箱型であり、利用者の手で支持される支持面部と、この支持面部の反対側に形成されて前記支持面部と反対側において開閉する前記収容部と、を有し、
前記支持部が、前記支持面部側から突出し、この支持部同士が対面する側の反対側がフック状である、
ことを特徴とする請求項１から請求項４のいずれか１項に記載された手提げホルダー。
【考案の詳細な説明】
【技術分野】
【０００１】
本考案は、袋の手提げ部に取り付けられる手提げホルダーに関するものである。
【背景技術】
【０００２】
従来、ビニール製の買い物袋等に荷物が収容された状態で、手提げ部分を把持して袋を持ち上げると、手提げ部分が薄く、かつ、荷物の重さによって利用者の手に食い込むため、痛みを伴う場合がある。そこで、手提げ部分に取り付けられるものであって、利用者の掌に食い込まない形状を維持することができるものとして、例えば、下記特許文献１に記載されたレジ袋用手提げホルダーがある（以下、レジ袋用手提げホルダーを「公知ホルダー」と記す。）。
【０００３】
この公知ホルダーは、掌に収まる程度の大きさであって、螺旋状であることから、レジ袋の手提げ部分が、螺旋の中心に取り付けられるものである。
【先行技術文献】
【特許文献】
【０００４】
【特許文献１】特開２００６−８２８１３号公報
【考案の概要】
【考案が解決しようとする課題】
【０００５】
しかし、上記した公知ホルダーは、そもそも袋の存在を前提としたものであって、当然ながら袋が存在しなければ用を足さない。すなわち、利用者は、買い物等において、店から袋を貰う又は買う、いわゆるエコバッグ等を自身が携行する等の手段で、袋を用意し、別途公知ホルダーを持ち合わせていなければならない。仮に、公知ホルダーのみを携行し、袋が無かった場合、袋そのものを購入しなければならない場合がある。
【０００６】
本考案は、この様な実情に鑑みて提案されたものである。すなわち、袋と共に携行することができる手提げホルダーの提供を目的とする。
【課題を解決するための手段】
【０００７】
上記目的を達成するために、本考案に係る手提げホルダーは、利用者が把持する把持部と、前記把持部の両端に形成されて袋の手提げ部が引っ掛けられる支持部と、を有し、前記把持部に、袋が収容される収容部が形成された、ことを特徴とする。
【０００８】
本考案に係る手提げホルダーは、前記収容部が、前記把持部に形成された収容空間と、この収容空間の開口部を覆う蓋部と、を有する、ことを特徴とする。
【０００９】
本考案に係る手提げホルダーは、前記支持部が、前記把持部から突出しており、この支持部同士が対面する側に、被着脱部材を挟持するための窪み部が形成された、ことを特徴とする。
【００１０】
本考案に係る手提げホルダーは、前記把持部に、ストラップが通される貫通孔が形成された、ことを特徴とする。
【００１１】
本考案に係る手提げホルダーは、前記把持部が、長手の箱型であり、利用者の手で支持される支持面部と、この支持面部の反対側に形成されて前記支持面部と反対側において開閉する前記収容部と、を有し、前記支持部が、前記支持面部側から突出し、この支持部同士が対面する側の反対側がフック状である、ことを特徴とする。
【考案の効果】
【００１２】
本考案に係る手提げホルダーは、利用者が把持する把持部と、この把持部の両端に形成されて袋の手提げ部が引っ掛けられる支持部とを有し、把持部に、袋が収容される収容部が形成されている。すなわち、袋が収容部に収容されることで、利用者は、手提げホルダーを常に袋と共に携行することができる。
【００１３】
本考案に係る手提げホルダーは、収容部が、把持部に形成された収容空間と、この収容空間の開口部を覆う蓋部とを有している。すなわち、収容空間の開口部が蓋部で覆われることで、把持部は、利用者が把持する際の妨げとならない形状となり、また、袋が確実に収容される。したがって、利用者に把持される機能と、袋を収容する機能とを両立させることができる。
【００１４】
本考案に係る手提げホルダーは、支持部が、把持部から突出しており、この支持部同士が対面する側に、被着脱部材を挟持するための窪み部が形成されている。すなわち、把持部を介して袋を把持するだけでなく、支持部を被着脱部材に取り付けた状態で、支持部に袋の手提げ部を引っ掛けておくことができる。
【００１５】
本考案に係る手提げホルダーは、把持部に、ストラップが通される貫通孔が形成されている。すなわち、貫通孔にストラップが通されれば、容易に携行することができる。
【００１６】
本考案に係る手提げホルダーは、把持部が、長手の箱型であり、利用者の手で支持される支持面部と、この支持面部の反対側に形成されて支持面部と反対側において開閉する収容部とを有し、支持部が、支持面部側から突出し、この支持部同士が対面する側の反対側がフック状である。すなわち、支持面部の反対側に収容部が形成されているため、利用者が把持する際の妨げとならない箇所に袋が収容される。また、収容部が開閉する側の反対側に支持部があるため、支持部と干渉しない箇所に袋を収容することができる。
【図面の簡単な説明】
【００１７】
【図１】図１は、本考案の第一実施形態に係る手提げホルダーが示された全体斜視図である。
【図２】図２は、本考案の第一実施形態に係る手提げホルダーの使用態様が示された第一使用態様説明図である。
【図３】図３は、本考案の第二実施形態に係る手提げホルダーが示された全体斜視図である。
【図４】図４は、本考案の第二実施形態に係る手提げホルダーの使用態様が示された第二使用態様説明図である。
【考案を実施するための形態】
【００１８】
以下に、本考案の第一実施形態に係る手提げホルダーを図面に基づいて説明する。図１は、手提げホルダー１０の全体が示されている。なお、以下の説明では、図１に示されているとおり、把持された場合に下方に向けられる側を下方（Ｄｏｗｎ）とし、上方に向けられる側を上方（Ｕｐ）とし、長手方向を左右方向（Ｌｅｆｔ  Ｓｉｄｅ、Ｒｉｔｈｔ  Ｓｉｄｅ）とし、上下左右と直交する方向を前後方向（Ｆｒｏｎｔ，Ｂａｃｋ）とする。
【００１９】
図１に示されているとおり、手提げホルダー１０は、利用者１（図２参照。）が把持する把持部１１と、この把持部１１の両端に形成されて袋２の手提げ部３が引っ掛けられる支持部２１とを有している。把持部１１は、長手の箱型であり、ほぼ直方体又は円柱状に形成されている。把持部１１の下面部は、利用者１の手で支持される支持面部１２であり、この支持面部１２の反対側である上面部は、袋２が収容された収容部１３である。支持面部１２は、例えば、平坦形状、利用者１の四指の形状に応じた凹凸形状、上方に向けて湾曲したアーチ形状等である。
【００２０】
収容部１３は、把持部１１が上面側からくり抜かれた収容空間１４と、この収容空間１４の開口部１５を覆う蓋部１６とを有している。収容空間１４は、把持部１１における左右方向のほぼ全長に渡って形成されている。蓋部１６は、開口部１５における後部の縁に、ヒンジ部１７を介して連結され、開口部１５における手前側の係止部１８を介して係止する。すなわち、蓋部１６は、ヒンジ部１７を介して上方に向けて開閉する。係止部１８は、係止片１９と係止孔２０とから構成されている。
【００２１】
把持部１１の右端部には、前後に向けて貫通した貫通孔２４が形成されている。この貫通孔２４には、ストラップ等（図示省略。）が通される。なお、貫通孔２４の位置は任意であり、例えば、把持部１１の左端部であってもよい。
【００２２】
支持部２１は、把持部１１の支持面部１２側から下方に向けて突出している。支持部２１は、この支持部２１同士が対面する側の反対側である外側がフック状に形成されている。支持部２１は、ほぼＵ字状であり、把持部１１から下方に向けて突出すると共に、外側において上方に向けて折り返されている。手提げホルダー１０は、例えば、ポリプロピレンなどの合成樹脂で成形されている。
【００２３】
以上のとおり、手提げホルダー１０が構成されている。
【００２４】
次に、手提げホルダー１０の使用態様を効果と共に説明する。図２は、手提げホルダー１０の使用態様が示されている。
【００２５】
上記したとおり、手提げホルダー１０は、利用者１が把持する把持部１１と、この把持部１１の両端から突出して袋２の手提げ部３が引っ掛けられる支持部２１とを有し、把持部１１は、袋２が収容される収容部１３が形成されている（図１参照。）。すなわち、袋２が収容部１３に収容されることで、利用者１は、手提げホルダー１０を常に袋２と共に携行することができる。利用者１は、袋２が必要な際、収容部１３から袋を取り出し、図２に示されているとおり、袋２の手提げ部３を支持部２１に引っ掛ける。把持部１１は、把持するのに適した立体形状であるため、荷物の重さによって利用者１の手に食い込むことがなく、痛みを伴うこともない。
【００２６】
収容部１３は、把持部１１において支持面部１２の反対側である上面側からくり抜かれた収容空間１４と、この収容空間１４の開口部１５を覆う蓋部１６とを有している。蓋部１６は、ヒンジ部１７を介して上方に向けて開閉する。すなわち、支持面部１２の反対側に収容部１３が形成されているため、利用者１が把持する際の妨げとならない箇所に袋２が収容されるし、開口部１５が蓋部１６で覆われることで、把持部１１は、利用者１が把持する際の妨げとならない形状となる。また、蓋部１６が閉じることで、袋２が確実に収容される。したがって、利用者１に把持される機能と、袋２を収容する機能とを両立させることができる。
【００２７】
把持部１１は、前後に向けて貫通した貫通孔２４が形成され、貫通孔２４にストラップ等が通される。すなわち、利用者１は、貫通孔２４にストラップを通すことで、容易に手提げホルダー１０を携行することができる。
【００２８】
支持部２１は、把持部１１の支持面部２１側から下方に向けて突出し、支持部２１同士の外側がフック状に形成されている。すなわち、収容部１３が開閉する側の反対側に支持部２１があるため、支持部２１と干渉しない箇所に袋２を収容することができる。
【００２９】
次に、本考案の第二実施形態に係る手提げホルダーを図面に基づいて説明する。図３は、手提げホルダー２１０の全体が示されている。なお、以下では、第一実施形態に係る手提げホルダー１０と異なる構成の説明が主になされ、同様の構成の説明は、手提げホルダー１０と同一の符号を図示することをもって、適宜省略されている。
【００３０】
図３に示されているとおり、支持部２１は、互いが対面する側である内側に、被着脱部材を挟持するための窪み部２２が形成されている。この窪み部２２は、支持部２１における把持部１１との連接箇所である基部２３に形成され、左右方向に陥没している。すなわち、窪み部２２によって、基部２３は、支持部２１における他の部位と比較して肉厚が若干薄い。したがって、支持部２１は、基部２３を起点として若干弾性変形する。
【００３１】
次に、手提げホルダー２１０の使用態様を効果と共に説明する。図４は、手提げホルダー２１０の使用態様が示されている。
【００３２】
手提げホルダー２１０は、支持部２１同士が対面する内側であって、支持部２１における把持部１１との連接箇所である基部２３に、窪み部２２が形成されている。図４に示されているとおり、窪み部２２は、例えば自動車のシートにおいて、ヘッドレスト４に取り付けられた被着脱部材としてのヘッドレスト支持部５に取り付けられる。その際、支持部２１は、基部２３を起点として若干弾性変形してヘッドレスト支持部５を挟持する。すなわち、把持部１１を介して袋２を把持するだけでなく、支持部２１をヘッドレスト支持部５に取り付けた状態で、支持部２１に袋２の手提げ部３を引っ掛けておくことができる。したがって、第二実施形態は、ヘッドレスト４への取付機構となる。
【００３３】
その他、利用者１は、他の使用態様として、袋２の手提げ部３に腕を通し、手提げホルダー１０，２１０を肩に載せることで、ショルダーバックのように用いることも可能である。
【００３４】
なお、本考案に係る他の実施形態は、収容部が溝のみであり、蓋部を有していない。また、他の実施形態は、ヒンジ部を有さず、蓋部が着脱される。また、他の実施形態は、ヒンジ部の位置が手前側又は左右側方のいずれかである。また、他の実施形態は、蓋部の位置が、把持部の手前側又は後側である。また、他の実施形態は、貫通孔を有していない。また、被着脱部材は任意であり、例えば、店内やトイレの適当な箇所、屋外のベンチ等である。
【００３５】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００３６】
１    利用者
２    袋
３    手提げ部
４    ヘッドレスト
５    ヘッドレスト支持部（被着脱部材）
１０，２１０  手提げホルダー
１１  把持部
１２  支持面部
１３  収容部
１４  収容空間
１５  開口部
１６  蓋部
１７  ヒンジ部
１８  係止部
１９  係止片
２０  係止孔
２１  支持部
２２  窪み部
２３  基部
２４  貫通孔
【図１】
0003225724.tif 000003
【図２】
0003225724.tif 000004
【図３】
0003225724.tif 000005
【図４】
0003225724.tif 000006